(57)【特許請求の範囲】
【請求項１】
人が座る座板部と、該座板部の左右後部から後方に突設された１対の支脚とを有した便座において、
各支脚の対向面には該便座を便座ボックス又はロータンクカバーに回動自在に支持させる支軸を差し込むための開口が設けられ、
一方の支脚の該開口に通電用ハーネスが引き通されており、
該一方の支脚の上部の少なくとも対向面側が、前記開口にまで達した取り外し可能な蓋状体となっており、該蓋状体を取り外した状態では、この取り外した部分に前記通電用ハーネスを引き通すことが可能となっていることを特徴とする便座。
【請求項２】
請求項１において、該蓋状体は、前記開口を略半周する半円弧形であり、
該蓋状体に設けられた弾性爪片により該蓋状体が前記支脚に着脱可能に連結されていることを特徴とする便座。
【請求項３】
請求項１又は２に記載の便座を便座ボックス又はロータンクカバーのヒンジ孔に回動可能に取り付けた構造であって、
前記ハーネスの先端に設けられたコネクタが該便座ボックス又はロータンクカバー内において別のハーネスの先端のコネクタに連結されており、
これらのコネクタ同士の連結部は、便座を便座ボックス又はロータンクカバーのヒンジ孔に取り付けた状態において、前記蓋状体を外して該ヒンジ孔から外部に引き出し可能となっていることを特徴とする便座取付構造。
【発明の詳細な説明】
【０００１】
【発明の属する技術分野】
本発明は便座ボックス又はロータンクカバーに取り付けられる便座と、この便座の便座ボックス又はロータンクカバーへの取付構造に関するものであり、特に便座の枢支部にハーネスが挿通されている便座及びその取付構造に関する。
【０００２】
【従来の技術】
図５の如く、洋風便器１の後部上面に便座ボックス２を設置し、この便座ボックス２に便座３やさらには便蓋４を上下方向回動可能に取り付けた構造は周知である。また、図６の如く、洋風便器５の後部上面のロータンクや各種機器を覆うようにロータンクカバー６を設け、このロータンクカバー６に便座３やさらには便蓋４を上下方向回動可能に取り付けた構造も周知である。
【０００３】
この便座ボックスへの便座３の取付構造について図４を参照して説明する。
【０００４】
便座ボックスは、底面を構成するベースプレート（図示略）と、このベースプレートに被さる本体カバー１０とで外殻が構成されている。ベースプレート上には、温水タンク及び温水噴射ノズル等よりなる温水洗浄装置のほか、温風ファン、脱臭装置などが搭載されている。本体カバー１０は、これらの機器を覆うようにベースプレートに取り付けられる。
【０００５】
この本体カバー１０の前部中央には前方に突出する凸部１１が設けられ、該凸部１１の左右両側面にヒンジ孔１２，１３が設けられている。
【０００６】
便座３は、人が座る環形（Ｕ字形とされることもある。）の座板部２０と、この座板部２０の左右後部から後方に突出する一対の支脚２１，２２とを有する。この便座３が暖房便座である場合、ヒータに通電するためのハーネス２３が一方の支脚２１から引き出されている。
【０００７】
支脚２１，２２の対向面にはそれぞれ開口２４，２５が設けられている。ハーネス２３は該支脚２１の開口２４からヒンジ孔１２を通って便座ボックス内に引き込まれ、コネクタ２６が便座ボックス内のコネクタ（図示略）に接続されている。
【０００８】
便座３を便座ボックスに取り付けるには、ベースプレートから取り外された状態の本体カバー１０の凸部１１の左右両側面に便座３の支脚２１，２２を沿わせる。なお、この際ハーネス２３は予めヒンジ孔１２に通しておく。
【０００９】
次いで、本体カバー１０の内部に作業員が手を差し込み、ヒンジ孔１２，１３にアタッチメント２７を差し込み、次にこのアタッチメント２７に外嵌させるようにしてヒンジカラム２８をヒンジ孔１２,１３を通して支脚２１，２２にそれぞれ装着する。このヒンジカラム２８がヒンジ孔１２，１３に回動自在に内嵌され、これによって便座３が本体カバー１０に回動自在に連結される。その後、コネクタ２６を便座ボックス内側のコネクタに接続した後、該本体カバー１０をベースプレートに連結する。
【００１０】
なお、支脚２１，２２の対向面と反対側には凸軸２９が設けられており、便蓋はこの凸軸２９に枢着される。図示はしないが、ロータンクカバーと便座との連結構造も同様である。
【００１１】
【発明が解決しようとする課題】
上記の通り、従来の便座取付構造にあっては、接合されたコネクタ同士を本体カバー１０外に引き出すことができないため、便座の交換時には必らず本体カバー１０をベースプレートから取り外さなければならず、相当に手間がかかる。便座３をロータンクカバー６に装着する場合にも同様の問題があった。
【００１２】
本発明は、便座ボックス本体カバーやロータンクカバーを取り外すことなく、便座を便座ボックス又はロータンクカバーに着脱することができる便座及び便座取付構造を提供することを目的とする。
【００１３】
【課題を解決するための手段】
本発明の便座は、人が座る座板部と、該座板部の左右後部から後方に突設された１対の支脚とを有した便座において、各支脚の対向面には該便座を便座ボックス又はロータンクカバーに回動自在に支持させる支軸を差し込むための開口が設けられ、一方の支脚の該開口に通電用ハーネスが引き通されており、該一方の支脚の上部の少なくとも対向面側が、前記開口にまで達した取り外し可能な蓋状体となっており、該蓋状体を取り外した状態では、この取り外した部分に前記通電用ハーネスを引き通すことが可能となっていることを特徴とするものである。
【００１４】
本発明の便座において、蓋状体は、前記開口を略半周する半円弧形であり、該蓋状体に設けられた弾性爪片により該蓋状体が前記支脚に着脱可能に連結されていることが好ましい。
【００１５】
本発明の便座取付構造は、上記本発明の便座を便座ボックス又はロータンクカバーのヒンジ孔に回動可能に取り付けた構造であって、前記ハーネスの先端に設けられたコネクタが該便座ボックス又はロータンクカバー内において別のハーネスの先端のコネクタに連結されており、これらのコネクタ同士の連結部は、便座を便座ボックス又はロータンクカバーのヒンジ孔に取り付けた状態において、前記蓋状体を外して該ヒンジ孔から外部に引き出し可能となっていることを特徴とするものである。
【００１６】
かかる本発明の便座及び便座取付構造にあっては、蓋状体を取り外し、便座ボックス又はロータンクカバーの外部にハーネスのコネクタ同士の連結部を引き出すことができる。そのため、該コネクタ同士を連結する際に該便座ボックス又はロータンクカバーを取り外す必要がない。また、便座を該便座ボックス又はロータンクカバーに装着する場合には、便座ボックス又はロータンクカバー外にてコネクタ同士を接続した後、該コネクタをヒンジ孔から便座ボックス又はロータンクカバー内に押し込む。その後、便座を便座ボックス又はロータンクカバーに枢着し、次いで蓋状体を装着する。
【００１７】
【発明の実施の形態】
以下、図面を参照して本発明の実施の形態について説明する。図１は本発明の実施の形態に係る便座と便座ボックスの分解斜視図であり、図２はこの便座の便座ボックスへの取付構造を示す要部分解斜視図である。
【００１８】
この実施の形態では、便座３Ａは暖房便座であり、ヒータへの通電用ハーネス３４が該便座３Ａの外部に引き出されている。
【００１９】
図１に示すように、便座ボックス２Ａの本体カバー１０Ａの前部中央から前方に突出する凸部１１の左右両側面には、該便座３Ａを該本体カバー１０Ａに枢支するための支軸３０，３２が設けられている。該支軸３０，３２は、該凸部１１の左右の側面からそれぞれ該本体カバー１０Ａの左右幅方向に突出していると共に、互いに同軸状となるよう配置されている。一方の支軸３０は、該便座３Ａから引き出されたハーネス３４及びコネクタ３４ａと、後述のハーネス５２及びコネクタ５２ａとが通過しうる内孔３６を有した筒状となっている。
【００２０】
なお、この便座ボックス２Ａは、前述の図４，５の便座ボックス２と同様に、その外殻の底板部を構成するベースプレート（図示略）上に温水洗浄装置や温風ファン、脱臭装置等の機器が搭載されている。該本体カバー１０Ａは、これらの機器を覆うように該ベースプレートに取り付けられている。
【００２１】
該ベースプレートには便座３Ａのヒータへの通電用ハーネス５２が設けられている。このハーネス５２の先端には、便座３Ａから引き出されたハーネス３４の先端のコネクタ３４ａと接続可能なコネクタ５２ａが設けられている。また、このハーネス５２は、前記支軸３０の内孔３６を通して該コネクタ５２ａを本体カバー１０Ａの外部に引き出しうる長さを有している。
【００２２】
該便座３Ａの座板部２０の左右後部から後方且つ斜め上方に一対の支脚３８，４０が突設されている。該支脚３８には前記支軸３０を差し込むための開口４２が設けられており、該支脚４０には支軸３２を差し込むための開口４４が設けられている。前記ハーネス３４は、該開口４２に引き通され、該開口４２から便座３Ａの外部に引き出されている。
【００２３】
図２に示すように、該支脚３８の後端側の上部は、該支脚３８の左右幅方向の中央付近から他方の支脚４０との対向面側が取り外し可能な蓋状体４６となっている。この蓋状体４６が支脚３８に装着されると、該蓋状体４６の外面は、その周囲の支脚３８の外面と連続した面一状となる。
【００２４】
この蓋状体４６を支脚３８から取り外すと、該開口４２の約半分が開放された状態となる。この状態にあっては、前記支軸３０を該開口４２内に係合させることが可能であり、逆に、該支軸３０を該開口４２から離脱させることも可能である。
【００２５】
この蓋状体４６の周方向両端側から略前方に一対の弾性爪片４８，４８が突設されている。これらの弾性爪片４８，４８は、開口４２の直径方向に弾性的に互いに接離する方向に撓むことが可能となっている。また、各弾性爪片４６の先端には、該開口４２の放射方向に突出した突起４８ａが設けられている。
【００２６】
蓋状体４６が支脚３８に取り付けられた状態においては、各弾性爪片４８の突起４８ａが該支脚３８に設けられた係合孔５０と係合している。突起４８ａを押して係合孔５０から離脱させると、該蓋状体４６を支脚３８から取り外すことができる。
【００２７】
次に、この便座３Ａの便座ボックス２Ａへの取付方法及び取外方法について説明する。
【００２８】
▲１▼  便座３Ａを便座ボックス２Ａに取り付ける際には、予め蓋状体４６を支脚３８から取り外しておくと共に、支軸３０の内孔３６を通してコネクタ５２ａ及びハーネス５２を本体カバー１０Ａの外側に引き出しておく。また、この内孔３６から引き出されたコネクタ５２ａと、該開口４２に引き通されたハーネス３４のコネクタ３４ａとを接続する。そして、まず支脚４０の開口４４に支軸３２を差し込み、次いで、支脚３８の開放した開口４２と支軸３０を係合させる。この際、該支軸３０の内孔３６を通してハーネス５２、コネクタ５２ａ，３４ａ及びハーネス３４を本体カバー１０Ａ内に送り込む。その後支脚３８の後端部に蓋状体４６を取り付けて開口４２を閉鎖し、該支軸３０を該開口４２内に保持する。
【００２９】
これにより、便座３Ａが該支軸３０，３２によって上下方向回動可能に枢支され、便座３Ａの便座ボックス２Ａへの取り付けが完了する。
【００３０】
▲２▼  逆に、便座３Ａを便座ボックス２Ａから取り外す場合には、まず蓋状体４６を支脚３８から取り外す。そして、該支軸３０の内孔３６からハーネス３４、コネクタ３４ａ，５２ａ及びハーネス５２を本体カバー１０Ａの外に引き出し、該コネクタ５２ａからコネクタ３４ａを外す。その後、支軸３０を開口４２から該支脚３８の後方に離脱させ、次いで、支脚４０の開口４４から支軸３２を抜き出して便座３Ａを便座ボックス２Ａから取り外す。
【００３１】
なお、この後、新品の又は修理した便座３Ａを便座ボックス２Ａに取り付ける手順は上記▲１▼の通りである。
【００３２】
このように、この便座３Ａを便座ボックス２Ａに着脱するに際し、便座ボックス２Ａから該本体カバー１０Ａを取り外すことが不要であり、作業が極めて容易である。
【００３３】
この便座３Ａが倒伏した状態にあっては、支脚３８から蓋状体４６を取り外すと、開口４２が該支脚３８の後方且つ斜め上方に開放された状態となるので、開口４２に対し支軸３０を容易に係合又は離脱させることができると共に、内孔３６へのハーネス３４、コネクタ３４ａ，５２ａ、ハーネス５２の出入れが著しく容易である。
【００３４】
本発明の便座の取付構造においては、ハーネスが引き通される開口を有した一方の支脚だけでなく、他方の支脚にも前記蓋状体４６のような蓋状体を設けた構成としてもよい。このような構成を有する便座３Ｂとその取付構造を図３に示す。
【００３５】
図示の通り、この便座３Ｂの一方の支脚３８の構成と、その便座ボックス２Ａへの取付構造は図２と全く同一である。この実施の形態では、他方の支脚４０Ａの後端側の上部は、該支脚４０Ａの左右幅方向の中央付近から該支脚３８との対向面側が取り外し可能な蓋状体４６Ａとなっている。この蓋状体４６Ａは、該支脚３８の後端側上部に設けられた蓋状体４６と同一の構成である。即ち、支脚３８,４０は便座３Ｂの中心を挟んで対称な構成となっている。
【００３６】
この蓋状体４６Ａを支脚４０Ａから取り外すと、開口４４Ａが該支脚４０Ａの後方に開放し、該支軸３２が該開口４４Ａに対し係合又は離脱可能となる。
【００３７】
この便座３Ｂのその他の構成及びこの便座３Ｂが取り付けられる便座ボックス２Ａの構成は、前述の図１，２に示した便座３Ａ及び便座ボックス２Ａと同一でり、図３において、図１，２と同一部分には同一符号を付して説明を省略する。
【００３８】
このように構成された便座３Ｂを便座ボックス２Ａに取り付ける場合には、まず予め支脚３８及び４０Ａから蓋状体４６及び４６Ａを取り外しておくと共に、支軸３０の内孔３６（図３においては図示略）を通してコネクタ５２ａ，３４ａ及びハーネス５２，３４を本体カバー１０Ａの外に引き出しておく。そして、ハーネス５２，３４及びコネクタ５２ａ，３４ａを内孔３６から便座ボックス２Ａ内に送り込みながら支軸３０及び３２をそれぞれ開口４２及び４４Ａに係合させ、その後蓋状体４６，４６Ａをそれぞれ支脚３８及び４０Ａに取り付け、該支軸３０，３２を開口４２，４４Ａ内に保持する。
【００３９】
逆に、便座３Ｂを便座ボックス２Ａから取り外す場合には、まず、蓋状体４６，４６Ａを支脚３８，４０Ａから取り外し、支軸３０，３２をそれぞれ開口４２，４４Ａから該支脚３８，４０Ａの後方に離脱させる。また、該支軸３０の内孔３６からハーネス３４，５２及びコネクタ３４ａ，５２ａを本体カバー１０Ａの外に引き出し、該コネクタ５２ａからコネクタ３４ａを外して便座３Ｂを便座ボックス２Ａから取り外す。
【００４０】
なお、上記の各実施の形態は、便座の便座ボックスに対する取付構造を示しているが、図６に示すようなロータンクカバーに対する取付構造にも適用可能であることは明らかである。
【００４１】
【発明の効果】
以上詳述した通り、本発明によると、便座ボックスの本体カバーやロータンクカバーを取り外すことなく、便座を便座ボックス又はロータンクカバーに着脱することができる便座及び便座取付構造が提供される。
【図面の簡単な説明】
【図１】本発明の実施の形態に係る便座の便座ボックスへの取付構造を示す分解斜視図である。
【図２】図１の便座の取付構造を示す要部分解斜視図である。
【図３】本発明の別の実施の形態に係る便座の便座ボックスへの取付構造を示す分解斜視図である。
【図４】従来例に係る便座の便座ボックスへの取付構造を示す分解斜視図である。
【図５】洋風便器設備の従来例を示す斜視図である。
【図６】洋風便器設備の別の従来例を示す斜視図である。
【符号の説明】
２，２Ａ  便座ボックス
３，３Ａ，３Ｂ  便座
１０，１０Ａ  本体カバー
３０，３２  支軸
３４，５２  ハーネス
３６  内孔
３８，４０，４０Ａ  支脚
４２，４４，４４Ａ  開口
４６，４６Ａ  蓋状体
４８  弾性爪片
５０  係合孔
【図１】
0003809794.tif 000002
【図２】
0003809794.tif 000003
【図３】
0003809794.tif 000004
【図４】
0003809794.tif 000005
【図５】
0003809794.tif 000006
【図６】
0003809794.tif 000007